(57)【要約】【課題】煙感知室の煙流入口から侵入する煙の流入性を向上させるとともに、煙感知室の煙流入口から侵入する外光を遮断することのできる煙感知器を提供する。【解決手段】ラビリンス壁１２は、煙感知室１４の内方にある部分１２ｂを屈曲させて屈曲部分１２ｂを形成し、その先端１２ｃを、感煙領域Ｓに向いた煙誘導端として形成しており、かつ、受光部１１に対向した部分に設けたもの１２（＃１）は、煙感知室Ａの外方に向く側を裾広形状に形成した外光遮断端１２ｄを更に有した構造にしている。【選択図】図１
2008310755.tif 000002
【特許請求の範囲】
【請求項１】
複数のラビリンス壁を周設した煙感知室内に、発光部を設けるとともに、この発光部から発せられた光を直接受光しない位置に受光部を設けて感煙領域を構成し、ラビリンス壁に形成された煙流入口から上記感煙領域に流入して来た煙による散乱光を受光部で受光させて、火災を検知するようにした煙感知器において、
上記ラビリンス壁は、煙感知室の内方にある部分を屈曲させて屈曲部分を形成し、その先端を、上記感煙領域に向いた煙誘導端として形成し、かつ、上記受光部に対向した部分に設けたものは、上記煙感知室の外方に向く側を裾広形状に形成した外光遮断端を更に有した構造にしている、煙感知器。
【請求項２】
請求項１において、
上記ラビリンス壁のうちで上記煙誘導端が上記発光部に対向しているものは、それぞれを先細り形状としていることを特徴とする煙感知器。
【請求項３】
請求項１または請求項２において、
上記ラビリンス壁は、上記屈曲部分の内側に外光遮断反射突起を更に突設していることを特徴とする煙感知器。
【発明の詳細な説明】
【技術分野】
【０００１】
本発明は、煙に反応して火災を検知する煙感知器に関し、詳しくは感煙領域に流入してきた煙に発光部の光をあて、煙の粒子によって散乱された散乱光を受光部で受光させて、火災を検知するようにした光電式の煙感知器に関する。
【背景技術】
【０００２】
従来より、この種の煙感知器としては、複数のラビリンス壁を周設した煙感知室内に、発光部を設けるとともに、この発光部から発せられた光を直接受光しない位置に受光部を設けて感煙領域を構成し、ラビリンスに形成された煙流入口を通って感煙領域に流入して来た煙による散乱光を受光部で受光させ、これを受光信号として閾値を超えたときに火災発報信号を出力して火災警報を行うものが知られている。
【０００３】
下記特許文献１には、この種の煙感知器が開示されており、図６は、特許文献１に記載の煙感知器における煙感知室の内部構造を示す説明図であり、この煙感知器１００では、発光部１１０はＬＥＤなどの発光素子が配設され、発光部１１０と受光部１２０とは、それぞれの光軸Ｌ１，Ｌ２が同一水平面上でおよそ１３０度の角度θをもって交差しており、発光部１１０より光を照射させて、煙感知室の略中央部分にある感煙領域Ｓに侵入した煙粒子に当て、そこで散乱した散乱光を受光部１２０で受け取って、受け取った光の光量を受光信号に変換し、閾値を超えたときに火災発報信号を出力して火災警報を行う構成になっている。
【０００４】
１３０は遮光柱であり、この遮光柱１３０は、発光部１１０からの投光の障害にならず、かつ発光部１１０から受光部１２０には直接入光しないように、その長さ寸法と位置が規定されている。また、煙感知室Ｓの周囲には、煙の侵入は許容し、煙感知の障害となる外光の侵入を防止する、略「く」の字形状に形成された複数のラビリンス壁１４０が形成されており、複数のラビリンス壁１４０間の隙間で煙流入口を形成している。
【特許文献１】特開平９−２３１４８５号公報
【発明の開示】
【発明が解決しようとする課題】
【０００５】
ところで、上記した従来の煙感知器では、ラビリンス壁は、その中間部を平面視して鋭角に略「く」の字形状に屈曲形成されているため、煙感知室の外周に対向する端面の面積が大きく、煙感知室の外周側から侵入した煙が、感煙領域に到達しにくい構造になっている。
しかしながら、このような構造では、スピーカなどを新たに設けることにより煙流入口が狭くなるような場合において、更に煙の流入性が悪くなり、煙感知の能力が著しく低下することとなる。
【０００６】
本発明は、このような事情を考慮して提案されるものであり、煙感知室の外周側から侵入する煙の流入性を向上させるとともに、煙感知室の外周側から侵入する外光を遮断することのできる煙感知器を提供することを目的とする。
【課題を解決するための手段】
【０００７】
上記目的を達成するために、請求項１に記載の煙感知器では、複数のラビリンス壁間を周設した煙感知室内に、発光部を設けるとともに、この発光部から発せられた光を直接受光しない位置に受光部を設けて感煙領域を構成し、ラビリンス壁に形成された煙流入口から上記感煙領域に流入して来た煙による散乱光を受光部で受光させて、火災を検知するようにした煙感知器において、上記ラビリンス壁は、煙感知室の内方にある部分を屈曲させて屈曲部分を形成し、その先端を、上記感煙領域に向いた煙誘導端として形成し、かつ、上記受光部に対向した部分に設けたものは、上記煙感知室の外方に向く側を裾広形状に形成した外光遮断端を更に有した構造にしている。
【０００８】
請求項２に記載の煙感知器では、上記ラビリンス壁のうちで上記煙誘導端が上記発光部に対向しているものは、それぞれを先細り形状としていることを特徴とする。
【０００９】
請求項３に記載の煙感知器では、上記ラビリンス壁は、上記屈曲部分の内側に外光遮断反射突起を更に突設していることを特徴とする。
【発明の効果】
【００１０】
請求項１に記載の煙感知器によれば、ラビリンス壁は、煙感知室の内方にある部分を屈曲させて屈曲部分を形成し、その先端を、感煙領域に向いた煙誘導端として形成し、かつ、受光部に対向した部分に設けたものは、煙感知室の外方に向く側を裾広形状に形成した外光遮断端を更に有した構造にしている。
【００１１】
そのため、ラビリンス壁によって、煙感知室の外方から侵入する外光を煙感知室に到達しないように遮断できるだけでなく、複数のラビリンス壁が隣接する隙間から流入した煙を、それぞれのラビリンス壁の煙誘導端によって、煙感知室内へスムースに誘導することができる。
また、受光部に対向したラビリンス壁は、煙感知室の外方に向く側を裾広形状に形成した外光遮断端を更に有しているので、特に、煙感知の障害となりやすい受光部に対向する方向から入ってくる外光を低減させることができる。
【００１２】
請求項２に記載の煙感知器では、ラビリンス壁のうちで煙誘導端が発光部に対向しているものは、それぞれを先細り形状としている。
そのため、発光部から発せられた光が煙誘導端に当たっても、光が乱反射するので、直接受光部に到達することを防止できる。
【００１３】
請求項３に記載の煙感知器では、ラビリンス壁は、屈曲部分の内側に外光遮断反射突起を突設している。
そのため、外光が複数のラビリンス壁が隣接する隙間から入ってきても、ラビリンス壁の端面で感煙領域側に反射されることがなく、煙感知室の外方へ反射させて、感煙領域への外光の侵入を効果的に防止することができる。
特に、ラビリンス壁のうちで受光部に対向する部分に設けたものについて、その屈曲部分の内側に外光遮断反射突起を設ければ、受光部に対向するラビリンス壁の隙間から侵入した外光を、外光遮断反射突起で反射させて、受光部に到達しないようにできる。
【発明を実施するための最良の形態】
【００１４】
以下、本発明の実施例を説明する。
図１は、煙感知室の斜視図、図２は平面図（光学基台を天井面に取り付けた状態で下方から見た図）を示している。
【００１５】
煙感知室Ａは、図１に示すように、横断面が円状の光学基台１３で構成され、光学基台１３は底面１３ａと周壁１３ｂとを有し、上方を開口した筒状体となっている。
光学基台１３には、発光ユニット収容部１６と受光ユニット収容部１７とが形成され、周壁１３ｂの内段部１３ｃの内側には、複数のラビリンス壁１２（＃１〜＃３）が取り巻くようにして周設されている。
【００１６】
発光ユニット１０、受光ユニット１１は、図２、図５に示したように、光学基台１３とは別体に構成された回路基板２上に、両者の光軸Ｌ１，Ｌ２が所定の角度θ（例えば１３０度）をもって交差するように実装されており、光学基台１３と、この回路基板２とを感知器ベース６（図５参照）に収容し、両者を組付けたときに、それぞれの収容部１６，１７に収容され、内装されるようになっている。
複数のラビリンス壁１２（＃１〜＃３）のそれぞれは、光学基台１３の周壁１３ｂより突出するようにして底面１３ａより立設され、各ラビリンス壁１２（＃１〜＃３）間の隙間１２ａは、隙間１２ａから煙感知室Ａ内へと煙が流入するように煙流入口を構成している。
【００１７】
これらのラビリンス壁１２（＃１〜＃３）は、煙流入口１２ａに侵入した煙を、煙感知室１４の略中央部分にある感煙領域Ｓに誘導するとともに、煙流入口１２ａから侵入した外光を遮断するために、煙感知室Ａの内方で屈曲部分１２ｂを設けて、平面視して略「く」の字に屈曲された形状とされている。
【００１８】
ラビリンス壁１２（＃１〜＃３）の屈曲部分１２ｂは、感煙領域Ｓに向かうように屈曲され、先端１２Ｃが先細り形状とされ、隣接するラビリンス壁１２（＃１〜＃３）との隙間１２ａから流入した煙を感煙領域Ｓに向かわせる煙誘導端として形成している。
したがって、隙間１２ａから侵入した煙を、屈曲部分１２ｂ、煙誘導端１２ｃに沿って感煙領域Ｓにスムースに誘導でき、先細り形状の先端１２ｃによって乱反射させるようにしている。
【００１９】
このような構造の煙誘導端１２ｃを、発光ユニット１０に対向しているラビリンス壁１２（＃２）に設けた場合は、発光ユニット１０に対向する部分の端面の面積が小さくなり、発光ユニット１０から発せられた光をラビリンス壁１２（＃２）の先端１２ｃで乱反射させて、受光ユニット１１に直接入力することを防止することができる。
【００２０】
また、複数のラビリンス壁１２（＃１〜＃３）は、図２に示すように、屈曲部分１２ｂよりも内側、すなわち、光学基台１３の周壁１３側にある部分に外光遮断反射突起１２ｅを突設させて形成しており、隙間１２ａから入ってきた光を、煙感知室Ａの外周側に向けて反射させて、受光ユニット１１に到達しないようにしている。
【００２１】
このような構造の外光遮断反射突起１２ｅを、受光ユニット１１に対向するラビリンス壁１２（＃１）側に設けた場合は、受光ユニット１１に対向するラビリンス壁１２（＃１）の隙間１２ａから侵入した外光を、外光遮断反射突起１２ｅで反射させて、受光ユニット１１に到達しないようにできる。
【００２２】
更に、複数のラビリンス壁１２（＃１〜＃３）のうち、受光ユニット１１に対向したラビリンス壁１２（＃１）は、図２に示したように、煙感知室Ａの外方、すなわち、光学基台１の側壁１３に向く側を裾広形状に形成して、煙感知室Ａの外方から侵入する煙を遮断する外光遮断端１２ｄを有しており、これによって、ラビリンス壁１２（＃１）間の隙間（煙流入口）１２ａの大きさを小さくして、受光ユニット１１に直接到達する外光の量を少なくしている。
【００２３】
発光ユニット１０、受光ユニット１１は、先述したように、回路基板２上に、両者の光軸Ｌ１，Ｌ２が所定の角度θをもって交差するように、発光ユニット１０を実装するとともに、発光ユニット１０から発せられた光を直接受光しない位置に受光ユニット１１が実装されている。
このように発光ユニット１０と受光ユニット１１とを実装した回路基板２は、光学基台１３の底面に、ラビリンス壁１２（＃１〜＃３）が底面から立設する方向とは反対側から取り付けられ、先述したように、発光ユニット１０と受光ユニット１１との各々に対応して形成した孔部（不図示）より、発光ユニット１０、受光ユニット１１を突出させて、光学基台１３に設けた収容部１６，１７に収容される。
【００２４】
なお、１８は、発光ユニット１０から発せられた光が、直接、受光ユニット１１に到達しないようにする遮光柱を示している。
【００２５】
図３は、図２におけるＡ−Ａ線矢視断面図を示している。受光ユニット１１は、回路基板２にリード１１ｃを通じて装着したフォトダイオードなどの受光素子１１ｂと、受光素子１１ｂに対面させて配設され、図３中で一点鎖線で示される光軸Ｌ２に沿った光を集光する集光レンズ１１ａとを備えている。
【００２６】
一方、発光ユニット１０は、図示しないＬＥＤを内蔵しており、発光ユニット１０から発せられた光は、集光レンズ１０ａで集光されて感煙領域Ｓに向けて照射され、感煙領域Ｓに侵入した煙粒子によって散乱した散乱光が受光ユニット１１で受光される。
【００２７】
図４は、ラビリンス壁の外光遮断反射突起の説明図であり、図４（ａ）は外光遮断反射突起のないもの、図４（ｂ）は外光遮断反射突起の作用を示している。
【００２８】
本発明では、このような外光遮断反射突起１２ｅを設けたものでは、図４（ｂ）に示したように、隣接するラビリンス壁１２（＃１）の隙間(煙流入口)１２ａから煙感知室Ａ内に侵入して来た外光は、外光遮断反射突起１２ｅの基端部で反射されるので、煙感知室Ａ内への侵入は防止されるが、このような外光遮断反射突起１２ｅのないものは、図４（ａ）に示したように、ラビリンス壁１２（＃１）の屈曲部分１２ｂの基端部で反射して、煙感知室Ａ内に侵入してしまう。
したがって、このような外光遮断反射突起１２ｅは、隣接するラビリンス壁１２（＃１）との隙間１２ａが大きい場合には、特に有効であり、前述した実施例では、煙誘導端１２ｃと同様にして、煙の流入性を良くするために煙感知室Ａを取り巻くすべてのラビリンス壁１２（＃１〜＃３）に設けている。なお、１２ｄは、煙感知室Ａを取り巻くラビリンス壁１２（＃１〜＃３）のうち、受光ユニット１１と対向する位置に設けたものに設けている裾広形状に形成した外光遮断端である。
【００２９】
図５は、本発明の煙感知器の分解斜視図である。
煙感知器Ｂは、天井面に取り付けられるベース部６と、このベース部６の下方に取り付けるヘッド部で構成されており、回路基板２を煙感知室Ａに取り付けた状態でベース部６に収容し、ベース部６の開口６１から煙感知室Ａを突出させた状態で、煙感知室Ａに防虫カバー３を被せ、更に、その下方にスピーカ４が位置するようにして、音孔５１を形成したヘッドカバー５をベース部６の開口６１に嵌め入れて、天井面に取り付けられるようになっている。
スピーカ４は、煙感知器Ｂが火災を判断したときに、火災警報を出力するが、従来のブザーによる警報音とは異なり、音声合成や予め記憶させた所定の警報パターンを出力することが出来る。
【図面の簡単な説明】
【００３０】
【図１】本発明の煙感知器の煙感知室の構造を示す斜視図
【図２】本発明の煙感知器の煙感知室の平面図（天井面に取り付けた場合の下方から見た平面図）
【図３】図１におけるＡ−Ａ線矢視断面図
【図４】（ａ），（ｂ）はラビリンス壁の外光遮断反射突起の説明図
【図５】本発明の煙感知器の分解斜視図
【図６】従来の煙感知器の構成を示す平面図
【符号の説明】
【００３１】
Ａ  煙感知室
Ｂ  煙感知器
１０  発光ユニット（発光部）
１１  受光ユニット（受光部）
１２  ラビリンス壁
１２ａ  隙間（煙流入口）
１２ｂ  屈曲部分
１２ｃ  煙誘導端
１２ｄ  外光遮断端
１２ｅ  外光遮断反射突起
１３  光学基台
Ｓ  感煙領域
【図１】
2008310755.tif 000003
【図２】
2008310755.tif 000004
【図３】
2008310755.tif 000005
【図４】
2008310755.tif 000006
【図５】
2008310755.tif 000007
【図６】
2008310755.tif 000008